【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
色特性の異なる複数の種類のレンズのうち、画像の撮影に用いられたレンズの種類を判定する判定手段と、
前記画像に対し、ホワイトバランス調整及び色空間変換処理を適用する画像処理手段と、を有し、
前記画像処理手段は、前記ホワイトバランス調整に用いるホワイトバランス係数および前記色空間変換処理の変換特性の少なくとも一方を、前記画像の撮影に用いられたレンズの種類に対応するものとすることにより、レンズの色特性の差が前記画像の色味に与える影響を軽減することを特徴とする画像処理装置。
【請求項２】
前記画像処理手段は、前記画像の撮影に用いられたレンズの種類に対応するホワイトバランス係数を用いて前記ホワイトバランス調整を行い、前記画像の撮影に用いられたレンズの種類によらない変換特性で前記色空間変換処理を行うことを特徴とする請求項１記載の画像処理装置。
【請求項３】
前記画像処理手段は、予め記憶された、前記複数の種類のそれぞれに対応するホワイトバランス係数のうち、前記画像の撮影に用いられたレンズの種類に対応するホワイトバランス係数を用いて前記ホワイトバランス調整を行うことを特徴とする請求項１又は請求項２に記載の画像処理装置。
【請求項４】
前記画像処理手段は、前記ホワイトバランス調整に用いるホワイトバランス係数を、前記画像の撮影に用いられたレンズの種類に対応した白検出範囲を用いて前記画像から検出した白色領域に基づいて算出することを特徴とする請求項１乃至請求項３のいずれか１項に記載の画像処理装置。
【請求項５】
前記画像処理装置には、白色被写体の画像もしくは画像中で指定された白色領域に基づいて算出したホワイトバランス係数が登録されており、
前記画像処理手段は、
前記登録されたホワイトバランス係数の算出に用いられた画像の撮影に用いられたレンズの種類と、前記ホワイトバランス調整を行う画像の撮影に用いられたレンズとの種類とが同じ場合には、前記登録されたホワイトバランス係数を用いて前記ホワイトバランス調整を行い、
前記登録されたホワイトバランス係数の算出に用いられた画像の撮影に用いられたレンズの種類と、前記ホワイトバランス調整を行う画像の撮影に用いられたレンズとの種類とが異なる場合には、前記登録されたホワイトバランス係数に、レンズの種類による色特性の差異に基づく変換係数を適用したホワイトバランス係数を用いて前記ホワイトバランス調整を行う、
ことを特徴とする請求項１乃至請求項３のいずれか１項に記載の画像処理装置。
【請求項６】
前記画像処理手段は、予め記憶された、前記複数の種類の１つに対応するホワイトバランス係数と、前記画像の撮影に用いられたレンズの種類に対応する変換係数とから、前記画像の撮影に用いられたレンズの種類に対応するホワイトバランス係数を取得して、前記ホワイトバランス調整を行うことを特徴とする請求項１乃至請求項３のいずれか１項に記載の画像処理装置。
【請求項７】
前記画像処理手段は、前記画像の撮影に用いられたレンズの種類によらないホワイトバランス係数を用いて前記ホワイトバランス調整を行い、前記画像の撮影に用いられたレンズの種類に対応する変換特性で前記色空間変換処理を行うことを特徴とする請求項１記載の画像処理装置。
【請求項８】
前記画像処理手段は、前記画像を、前記画像の撮影に用いられたレンズの種類に応じたホワイトバランス係数とともに記録することを特徴とする請求項１乃至請求項７のいずれか１項に記載の画像処理装置。
【請求項９】
前記画像処理手段は、さらに、前記画像の撮影に用いられたレンズの種類を示す情報を前記画像とともに記録することを特徴とする請求項８記載の画像処理装置。
【請求項１０】
前記画像処理装置は、色特性の異なる複数の種類のレンズを装着可能な撮像装置であって、
前記判定手段は、装着されたレンズの種類を判定することを特徴とする請求項１乃至請求項９のいずれか１項に記載の画像処理装置。
【請求項１１】
画像処理装置の制御方法であって、
判定手段が、色特性の異なる複数の種類のレンズのうち、画像の撮影に用いられたレンズの種類を判定する判定工程と、
画像処理手段が、前記画像に対し、ホワイトバランス調整及び色空間変換処理を適用する画像処理工程と、を有し、
前記画像処理工程において前記画像処理手段は、前記ホワイトバランス調整に用いるホワイトバランス係数および前記色空間変換処理の変換特性の少なくとも一方を、前記画像の撮影に用いられたレンズの種類に対応するものとすることにより、レンズの色特性の差が前記画像の色味に与える影響を軽減することを特徴とする画像処理装置の制御方法。
【請求項１２】
コンピュータを、請求項１乃至請求項９のいずれか１項に記載の画像処理装置の各手段として機能させるためのプログラム。
【手続補正２】
【補正対象書類名】明細書
【補正対象項目名】００１２
【補正方法】変更
【補正の内容】
【００１２】
上述の目的は、色特性の異なる複数の種類のレンズのうち、画像の撮影に用いられたレンズの種類を判定する判定手段と、画像に対し、ホワイトバランス調整及び色空間変換処理を適用する画像処理手段と、を有し、画像処理手段は、ホワイトバランス調整に用いるホワイトバランス係数および色空間変換処理の変換特性の少なくとも一方を、画像の撮影に用いられたレンズの種類に対応するものとすることにより、レンズの色特性の差が画像の色味に与える影響を軽減することを特徴とする画像処理装置によって達成される。
【手続補正３】
【補正対象書類名】明細書
【補正対象項目名】００１７
【補正方法】変更
【補正の内容】
【００１７】
メモリ１６は、画像処理部１３の処理バッファや、後述するカメラ制御部１８が実行するプログラムの記憶装置として利用される。メモリ１６は、ホワイトバランス処理部１３０や色処理部１３１が使用するホワイトバランス係数、換算係数、および３Ｄ−ＬＵＴの記憶装置や、カメラ１０が表示部１４に表示するメニュー画面などのＧＵＩデータの記憶装置としても用いられる。
【手続補正４】
【補正対象書類名】明細書
【補正対象項目名】００５８
【補正方法】変更
【補正の内容】
【００５８】
図１１は、レンズタイプに応じた３Ｄ−ＬＵＴのデータ構造の例を示す。このように、メモリ１６には、レンズタイプ１用の３Ｄ−ＬＵＴとレンズタイプ２用の３Ｄ−ＬＵＴを予め用意しておく。３Ｄ−ＬＵＴは、単位立体の各頂点または３Ｄ−ＬＵＴの格子点（Ｒ０，Ｇ０，Ｂ０）〜（Ｒ７，Ｇ７，Ｂ７）のそれぞれに対応する変更後の値の集合として表すことができる。撮影に使用される交換レンズのレンズタイプに対応した３Ｄ−ＬＵＴを用いる。なお、図１１で示したデータ構造の１ブロックが、図８で示した単位立体の１つの頂点における色空間変換後の色データを示している。
【手続補正５】
【補正対象書類名】明細書
【補正対象項目名】００８１
【補正方法】変更
【補正の内容】
【００８１】
つまり、レンズタイプ１に対応した手動ホワイトバランス係数が登録されているため、レンズタイプ２の交換レンズ１００で撮影された画像にホワイトバランス調整を適用する場合は、ホワイトバランス係数をレンズタイプ２に対応する値に換算して用いる。Ｓ１５３でホワイトバランス処理部１３０は、レンズタイプに対応した手動ホワイトバランス係数を用いてホワイトバランス調整する。
【手続補正６】
【補正対象書類名】明細書
【補正対象項目名】００９７
【補正方法】変更
【補正の内容】
【００９７】
Ｓ１７０でカメラ制御部１８は、コピー元になる画像Ａを、画像Ａで白として再現すべき領域（画素）をユーザーが指定可能なユーザーインターフェースとともに表示する。そして、ホワイトバランス処理部１３０を用いて、上述の手動ホワイトバランス調整処理と同様の処理により、指定された領域のＲＧＢ値のそれぞれの平均が一致するようなホワイトバランス係数を取得する。
【手続補正７】
【補正対象書類名】明細書
【補正対象項目名】０１０２
【補正方法】変更
【補正の内容】
【０１０２】
また、本実施形態の撮像装置は、ＲＡＷ画像ファイルに記録したホワイトバランス係数から、他のレンズタイプに対応するホワイトバランス係数を得るための換算係数を、併せてＲＡＷ画像ファイルに記録する。そのため、現像アプリケーションにおいて算出した手動ホワイトバランス係数を他の画像に適用する際に、両者の撮影に使用されたレンズタイプが一致しなくても、同様のホワイトバランス調整結果を得ることができる。